(57)【要約】【課題】非接着部の形成機能のオン・オフを簡易に切り替えられ、しかも粘着テープの挿通装着を容易に行い得る粘着テープカッターを提供する。【解決手段】粘着テープ２ａの接着面側に配置される接着面側部材と非接着面側に配置される非接着面側部材とからなり、これら両部材に押圧接触させつつ該両部材間に粘着テープを挿通して引き出すことで、粘着テープの長手方向の側部沿って、側縁２ａＳを所定幅で粘着面側に折り返して非接着部となる重合部５０を形成する重合部形成手段１６が設けられた粘着テープカッターにおいて、該重合部形成手段の非接着面側部材を開閉自在な開閉部材５にて支持し、該開閉部材は、挿通される該粘着テープに対して該非接着面側部材を押圧接触させる閉位置と押圧接触させない開位置との間を開閉移動可能に設けられるとともに、該開位置では該非接着面側部材を該接着面側部材から離間させて該粘着テープの挿通路を開放するようにした。【選択図】      図５
2004315203.tif 000002
【特許請求の範囲】
【請求項１】
片面に粘着面を有する粘着テープをロール状に巻いてなる粘着テープ巻付体を回転自在に支持するテープ支持部と、該支持部に支持された粘着テープ巻付体から引き出した粘着テープを切り取るカット部とを本体部に備え、
該テープ支持部と該カット部との間の本体部には、該粘着テープの接着面側に配置される接着面側部材と非接着面側に配置される非接着面側部材とからなり、これら接着面側部材と非接着面側部材とに押圧接触させつつ該両部材間に該粘着テープを挿通して引き出すことにより、該粘着テープの長手方向の少なくとも一側に、その側縁を所定幅で粘着面側に折り返して非接着部となる重合部を形成する重合部形成手段が設けられた粘着テープカッターであって、
該重合部形成手段が、
該粘着テープの側縁部に所定の折り曲げ幅を残して該粘着面側に接触する接着面側部材としての折り曲げローラーと、
該折り曲げローラーの端面に対向配置されて、該折り曲げローラに接触していない該粘着テープ側縁の前記所定の折り曲げ幅部分の非粘着面側に押圧接触して該側縁を該折り曲げローラーの端面との間に挟んで該所定幅で粘着面側に折り曲げる前記非接着面側部材としての折り曲げガイド片と、
該折り曲げられた粘着テープ側縁の非粘着面側に押圧接触して該側縁を鋭角に折り返すガイド部を有して、該粘着テープの接着面側に配置された前記接着面側部材としての折り返しガイド片と、
該側縁が折り返された該粘着テープの非接着面に押圧接触して、該側縁が折り返された粘着テープの対向する粘着面同士を重合させて貼り合わせる前記非接着面側部材としての貼り合わせ手段とからなり、
該非接着面側部材は開閉自在な開閉部材にて支持され、
該開閉部材は、挿通される該粘着テープに対して該非接着面側部材を押圧接触させる閉位置と押圧接触させない開位置との間を開閉移動可能に設けられるとともに、該開位置では該非接着面側部材を該接着面側部材から離間させて該粘着テープの挿通路を開放することを特徴とする粘着テープカッター。
【請求項２】
前記折り返しガイド片が、前記粘着テープの側縁の折り曲げ角度を略１３５度まで案内する第１のガイド部と、略１８０度まで折り返す第２のガイド部とを有することを特徴とする請求項１に記載の粘着テープカッター。
【請求項３】
前記第１のガイド部と第２のガイド部とが連続する湾曲面で繋がれていることを特徴とする請求項２に記載の粘着テープカッター。
【請求項４】
前記折り曲げガイド片に、前記折り曲げられた粘着テープ側縁の非粘着面に当接して該側縁の折れ曲がり角度を略１２０度に案内するガイド突起を突出形成したことを特徴とする請求項１〜３のいずれかに記載の粘着テープカッター。
【請求項５】
前記貼り合わせ手段の押圧部材がガイドローラーでなることを特徴とする請求項１〜４のいずれかに記載の粘着テープカッター。
【請求項６】
前記重合部形成手段が、前記本体から着脱可能なカセット式のホルダーに取り付けられていることを特徴とする前記請求項１〜５のいずれかに記載の粘着テープホルダー。
【請求項７】
前記テープ支持部と前記重合部形成手段との間に、前記粘着テープ巻付体から引き出される粘着テープの該重合部形成手段への供給位置を位置決めする位置決め手段を設けたことを特徴とする請求項１〜６のいずれかに記載の粘着テープカッター。
【請求項８】
前記位置決め手段が前記開閉部材に取り付けられていることを特徴とする請求項１〜７のいずれかに記載の粘着テープカッター。
【請求項９】
前記開閉部材が、前記粘着テープの非接着面に対して垂直方向に近接離間して開閉移動されることを特徴とする請求項１〜７のいずれかに記載のテープカッター。
【請求項１０】
前記開閉部材が、前記粘着テープの挿通方向に対して側方に回動して開閉移動されることを特徴とする請求項１に記載のテープカッター。
【請求項１１】
長尺な薄膜状の基材の片面に粘着剤が塗布されて、ロール状に巻回形成された粘着テープであって、
前記粘着剤が塗布されていない非接着面側に、その長手方向に沿ってその側縁から所定幅内側に該粘着テープの接着幅に関する情報指示手段が印されていることを特徴とする粘着テープ。
【発明の詳細な説明】
【０００１】
【発明の属する技術分野】
本発明は、粘着テープ巻付体から所望の長さに引き出した粘着テープの長手方向の側部に沿って、その側縁を折り返して粘着面を同士を重合させた非接着部を形成するようにしたテープカッターおよびこのテープカッターに用いる粘着テープに関する。
【０００２】
【従来の技術】
粘着テープは、布、セロハン、クラフト紙、ゴム、ポリ塩化ビニルなどの薄膜状の長尺な基材の片面に、ゴムまたは合成樹脂を主材とする粘着剤を塗布したものであり、通常、この粘着テープはロール状に巻かれて粘着テープ巻付体とされて流通されている。そして、封筒や袋体、箱の蓋部等の封緘など様々な接着用途に用いられている。
また、この様な粘着テープを使用する際には、粘着テープ巻付体から粘着テープを引き出して所望の長さで切断することになるが、このような作業を容易にするためにテープカッターが用いられている。
テープカッターは粘着テープ巻付体を回転自在に支持するテープホルダと引き出された粘着テープを切断するカット部とを有しており、所望の長さに引き出した粘着テープを鋏やカッターナイフ等の道具を用いずに容易に切断して、接着対象物への貼り付けに供することができるようになっている。
【０００３】
ところで、様々な接着用途に供されている粘着テープではあるが、一時的な仮止めに用いられることが多く、この様な場合には、爾後に引き剥がされるか、あるいは切断される。
ここで、粘着テープは、その基材は薄く、また、基材の片面全体に粘着剤が塗布されているため、貼り付けられた粘着テープを対象物から引き剥がすのは甚だ面倒な作業であった。すなわち、対象物に対して接着面の全面が貼り付いた粘着テープを剥がす際には、粘着テープの外周縁部を爪等で捲り起こして摘み代を形成し、この摘み代を指先で摘んで引き剥がす必要があって、当該摘み代を捲り起こす作業は面倒で甚だ煩わしいものであった。
【０００４】
たとえば、コンビニエンスストアなどで弁当や惣菜などの食品を販売する場合には、食品の包装容器に対する蓋体の止着や、ソースやドレッシングなどの調味料が封入された調味袋の食品包装容器外側への貼り付け等に幅寸法が１０数ｍｍ程度の粘着テープが多用されているが、当該粘着テープが全面に亘って貼着されていると、購入者が容器の蓋体を開封したり調味袋を取り外すにあたって、その剥離操作が非常に困難で煩わしいものとなっていた。
【０００５】
そこで、従来にあっては、当該剥離操作を容易に行えるように、粘着テープの引き出し時に自動的に長手方向の側部に沿ってその縁部を折り返して粘着面同士を重合させて貼り合わせ、当該重合部を非接着の摘み部分として形成し得るようにした粘着テープカッターの技術が、特開２００１−３０２０７８号公報にて提示されている。
【０００６】
即ち、当該公報に示される粘着テープカッターは、下記の▲１▼〜▲８▼の構成を供えてなる。
▲１▼  ケーシングの一端側に粘着テープ巻付体を回転自在に支持する保持軸を有し、他端側に引き出したテープの接着保持部と切断刃とを有する。
▲２▼  巻付体から接着保持部に至る間の粘着テープの引き出し経路に、引き出される粘着テープの長手方向の一側に沿って縁部を所定幅で折り返して粘着面同士を接着重合させて非接着の摘み部分を形成する重合部形成手段が設けられる。
▲３▼  重合部形成手段は、保持軸側から接着保持部側に向けて順次に配設された、引き出しガイドローラ、折り曲げローラ、側方折りガイドローラ、円錐型の折り返しローラ、接着面側押圧ローラ、非接着面側押圧ローラとからなる。
▲４▼  上記粘着テープの引き出し経路の上方には、当該経路を開閉自在に覆う開閉部材が上記引き出しガイドローラを回転中心にして上方に揺動回転自在に設けられ、当該引き出ガイドローラはケーシングに支持されている。
▲５▼上記折り曲げローラはケーシングに支持されて設けられており、粘着テープの側部に所定の折り曲げ幅を残して粘着面側に接触する。上記側方折りガイドローラはその周面が折り曲げローラーの端面に対向されて上下方向を指向してケーシングに支持されており、折り曲げローラに接触していない粘着テープ側縁の非粘着面側に押圧接触して、この側縁を折り曲げローラの端面との間に挟んで前記所定幅で粘着面側に略９０度まで折り曲げる。
▲６▼上記接着面側押圧ローラと非接着面側押圧ローラとは上下に並設配置されて粘着テープを挟み込み、粘着テープを両面から押圧する。
▲７▼非接着面側押圧ローラは上記開閉部材に支持されており、開閉部材の開閉に伴って接着面側押圧ローラに対して近接離間移動される。
▲８▼粘着テープの装着は開閉部材を上方に開放させた状態で行い、先ず引き出しローラの下側を通してから折り曲げローラ、円錐型の折り返しローラ、接着面側押圧ローラの上を通して引き出し先端部を接着保持部に止着した後、折り曲げローラと側方折りガイドローラとの間に粘着テープの側縁を折り込んでから開閉部材を閉じることで完了する。
【０００７】
【発明が解決しようとする課題】
しかしながら、上記公報に示された従来の粘着テープカッターでは、開閉部材はテープ支持部に最も近接する引きだしローラの回転軸を中心に揺動開閉されるようになっているため、粘着テープの挿通経路をその全長に亘って大きく開放することができない。このため、特に当該引き出しローラの下側に粘着テープを挿通するのが面倒な作業となる。また、引き出した粘着テープの側縁の折り曲げローラー部分を側方折りガイドとの間に折り曲げて挿入する作業も必要であり、この作業も甚だ面倒なものとなる。
【０００８】
本発明は上記課題を解決し得るものであって、その目的は、粘着テープの剥離を容易にするための摘み部となる非接着部を、テープ側縁を折り返して重合させることで長手方向に沿って容易に形成できるばかりか、当該非接着部の形成機能のオン・オフを簡易に切り替えられ、しかも粘着テープの挿通装着を容易に行い得る粘着テープカッターを提供することにある。
【０００９】
【課題を解決するための手段】
本発明は上記の目的を達成するために、粘着テープカッターを以下のように構成する。
即ち、請求項１係る発明は、片面に粘着面を有する粘着テープをロール状に巻いてなる粘着テープ巻付体を回転自在に支持するテープ支持部と、該支持部に支持された粘着テープ巻付体から引き出した粘着テープを切り取るカット部とを本体部に備え、該テープ支持部と該カット部との間の本体部には、該粘着テープの接着面側に配置される接着面側部材と非接着面側に配置される非接着面側部材とからなり、これら接着面側部材と非接着面側部材とに押圧接触させつつ該両部材間に該粘着テープを挿通して引き出すことにより、該粘着テープの長手方向の少なくとも一側に、その側縁を所定幅で粘着面側に折り返して非接着部となる重合部を形成する重合部形成手段が設けられた粘着テープカッターであって、該重合部形成手段が、該粘着テープの側縁部に所定の折り曲げ幅を残して該粘着面側に接触する接着面側部材としての折り曲げローラーと、該折り曲げローラーの端面に対向配置されて該折り曲げローラに接触していない該粘着テープ側縁の前記所定の折り曲げ幅部分の非粘着面側に押圧接触して該側縁を該折り曲げローラーの端面との間に挟んで前記所定幅で粘着面側に折り曲げる前記非接着面側部材としての折り曲げガイド片と、該折り曲げられた粘着テープ側縁の非粘着面側に押圧接触して該側縁を鋭角に折り返すガイド部を有して、該粘着テープの接着面側に配置された前記接着面側部材としての折り返しガイド片と、該側縁が折り返された該粘着テープの非接着面に押圧接触して、該側縁が折り返された粘着テープの対向する粘着面同士を重合させて貼り合わせる前記非接着面側部材としての貼り合わせ手段とからなり、該非接着面側部材は開閉自在な開閉部材にて支持され、該開閉部材は、挿通される該粘着テープに対して該非接着面側部材を押圧接触させる閉位置と押圧接触させない開位置との間を開閉移動可能に設けられるとともに、該開位置では該非接着面側部材を該接着面側部材から離間させて該粘着テープの挿通路を開放することを特徴とする。
【００１０】
請求項２に係る発明は、前記折り返しガイド片が、前記粘着テープの側縁の折り曲げ角度を略１３５度まで案内する第１のガイド部と、略１８０度まで折り返す第２のガイド部とを有することを特徴とする。
【００１１】
請求項３に係る発明は、前記第１のガイド部と第２のガイド部とが連続する湾曲面で繋がれていることを特徴とする。
【００１２】
請求項４に係る発明は、前記折り曲げガイド片に、前記折り曲げられた粘着テープ側縁の非粘着面に当接して該側縁の折れ曲がり角度を略１２０度に案内するガイド突起を突出形成したことを特徴とする。
【００１３】
請求項５に係る発明は、前記貼り合わせ手段の押圧部材がガイドローラーでなることを特徴とする。
【００１４】
請求項６に係る発明は、前記重合部形成手段が、前記本体から着脱可能なカセット式のホルダーに取り付けられていることを特徴とする。
【００１５】
請求項７に係る発明は、前記テープ支持部と前記重合部形成手段との間に、前記粘着テープ巻付体から引き出される粘着テープの該重合部形成手段への供給位置を位置決めする位置決め手段を設けたことを特徴とする。
【００１６】
請求項８に係る発明は、前記位置決め手段が前記開閉部材に取り付けられていることを特徴とする。
【００１７】
請求項９に係る発明は、前記開閉部材が、前記粘着テープの非接着面に対して垂直方向に近接離間して開閉移動されることを特徴とする。
【００１８】
請求項１０に係る発明は、前記開閉部材が、前記粘着テープの挿通方向に対して側方に回動して開閉移動されることを特徴とする。
【００１９】
請求項１１に係る発明は、長尺な薄膜状の基材の片面に粘着剤が塗布されて、ロール状に巻回形成された粘着テープであって、前記粘着剤が塗布されていない非接着面側に、その長手方向に沿ってその側縁から所定幅内側に該粘着テープの接着幅に関する情報指示手段が印されていることを特徴とする粘着テープ。
【００２０】
【発明の実施の形態】
以下に、本発明に係る粘着テープカッターおよび粘着テープの実施の形態について添付図面に基づいて詳細に説明する。
【００２１】
＝＝＝第１実施形態＝＝＝
図１は本発明に係る粘着テープカッターの第１実施形態を示す斜視図であり、図２は図１に示す粘着テープカッターの構造を示す一部切欠平面図、図３は図２におけるＡ−Ａ線に沿う矢視断面図である。また、図４（ａ）〜（ｃ）はそれぞれ図２に示す重合部形成手段の折り曲げ機構部、折り返し機構部、貼り合わせ機構部の詳細を示す斜視図、図５は図１に示す開閉カバーを開いた状態を示す斜視図である。
【００２２】
図１に示す粘着テープカッター１は、片面に粘着剤が塗布されて粘着面２ａＡとされた幅１０ｍｍ程度の粘着テープ２ａをロール状に巻いた粘着テープ巻付体２から、粘着テープ２ａを所望の長さに引き出して切り取るために用いられるものである。
【００２３】
このテープカッター１は、略直方体状に形成された樹脂製のベース部３と、このベース部３の一方の側部に固定された樹脂製の固定カバー４と、このベース部３の他方の側部に開閉自在に装着された開閉部材としての樹脂製の開閉カバー５とからなる本体を有している。また、このテープカッター１の本体には、長手方向の一方側にカッター支持部６が設けられ、また、他方側にはテープ収容部７が設けられている。
【００２４】
カッター支持部６は樹脂により形成されており、固定カバー４と開閉カバー５との間に位置してベース部３に固定されている。図１に示すように、カッター支持部６には、その幅方向の一方側に偏った位置において上方に開口する溝部６ａが形成されており、この溝部６ａにはカット部としてのカッター刃８が装着されている。カッター刃８はカッター支持部６とこのカッター支持部６にボルト９により固定される固定プレート１０との間に挟まれて、その刃先が図１中において上方を向くように固定されている。
【００２５】
テープ収容部７には、テープ支持部としてのテープホルダ１１に装着される粘着テープ巻付体２が収容されるようになっている。テープホルダ１１は軸心に設けられたホルダ軸１２とこのホルダ軸１２に固定されたホルダプレート１３とを有しており、ホルダ軸１２が固定カバー４に回転自在に支持されることにより回転自在となっている。ホルダプレート１３は放射状に延びる３つの脚部１３ａ，１３ｂ，１３ｃを有し、それぞれの脚部１３ａ，１３ｂ，１３ｃの先端部にはテープ支持ピン１４ａ，１４ｂ，１４ｃが取り付けられている。これらのテープ支持ピン１４ａ，１４ｂ，１４ｃは粘着テープ巻付体２の内周面に３点で係合して保持可能となるように配置されており、粘着テープ巻付体２はこれらのテープ支持ピン１４ａ，１４ｂ，１４ｃに係合保持されることによりテープホルダ１１に装着されるようになっている。したがって、粘着テープ巻付体２はこのテープホルダ１１により固定カバー４に対して回転自在となっている。
【００２６】
カッター支持部６とテープ収容部７との間には、固定カバー４、開閉カバー５およびこのカバーの上端部にそれぞれ設けられた天板部５ａとによって周囲が閉じられて、巻付体２から引き出される粘着テープ２ａが挿通されるテープ挿通室１５が設けられている。
【００２７】
テープ挿通室１５の一方側はテープ収容部７と連続しており、その他端側はカッター支持部６に向けて開口されている。そして、テープホルダ１１に支持された粘着テープ巻付体２から引き出された粘着テープ２ａはテープ収容部７からこのテープ挿通室１５を経てカッター支持部６に至るようになっている。
【００２８】
このテープ挿通室１５には、引き出される粘着テープ２ａの長手方向の一側部の側縁２ａＳを粘着面側の下方に略９０度まで折り曲げる折り曲げ機構部３０、その折り曲げられた側縁２ａＳを更に略１８０度まで折り返して粘着面同士を対面させる折り返し機構部２０、およびその対面した粘着面同士を重合させて貼り合わせる貼り合わせ手段４０とからなる重合部形成手段１６が配置されている。
【００２９】
折り曲げ機構部３０は、図２、図３および図４（ａ）に示すように、位置決め手段としての位置決めローラー３１と折り曲げ手段としての折り曲げローラー３２、及び折り曲げガイド片６０とにより構成されている。
【００３０】
位置決めローラー３１は、テープ支持部としてのテープホルダ１１と上記折り曲げローラ３２との間に設けられて、粘着テープ巻付体２から引き出される粘着テープ２ａの折り曲げローラー３２への供給位置を位置決めするものであり、ローラー本体３１ａと、このローラー本体３１ａの端部に設けられたフランジ３１ｂとを有しており、開閉カバー５に回転自在に軸支されて取り付けられている。ローラー本体３１には粘着テープ巻付体２から引き出された粘着テープ２ａの非接着面２ａＢが押圧接触するようになっており、フランジ３１ｂには粘着テープ２ａの一方の側端が接するようになっている。そして、粘着テープ巻付体２から引き出された粘着テープ２ａを折り曲げローラー３２に向けて、その高さ位置と幅方向位置とを位置決めして案内するようになっている。
【００３１】
折り曲げローラー３２は折り返し機構部２０と位置決めローラー３１との間に位置して、固定カバー４に回転自在に軸支されて取り付けられている。折り曲げローラー３２の一方の端部３２ａは粘着テープ２ａの粘着面２ａＡ上に位置しており、当該粘着テープ２ａの一側部に所定の折り曲げ幅Ｗ２を残して粘着面側に押圧接触する。つまり、図２に例示するように、この折り曲げローラー３２の外周面３２ｂは、粘着テープ巻付体２から引き出される粘着テープ２ａの粘着面２ａＡに対して、その全幅に亘っては接触されずに所定範囲部分にだけ接し、折り曲げ予定幅ｗの部分の粘着面２ａＡには接しないようになっている。また、この外周面３２ｂには多数の溝部が形成されており、粘着面２ａＡとの接触面積を減少させて粘着テープ２ａと接着されるのを防止するようになっている。そして、位置決めローラー３１によって案内される粘着テープ２ａの一側部をその端面３２ａ部分で折り曲げて、この折り曲げ状態で折り返し機構部２０方向へ案内するようになっている。なお、本実施の形態においては、折り曲げローラー３２は円筒状に形成されているがこれに限らず、粘着テープ２ａの粘着面２ａＡの所定の位置に接する薄い外周面を有する円盤形のものとしてもよい。
【００３２】
また。折り曲げローラー３２の端面３２ａに対向配置されて、当該折り曲げローラ３２に接触していない粘着テープ２ａの側縁２ａＳ部分を所定の折り曲げ幅Ｗ２で粘着面側に折り曲げるべく、当該折り曲げ幅Ｗ２部分の非粘着面側に押圧接触して、当該側縁２ａＳを折り曲げローラー３２の端面３２ａとの間に挟んで上記所定幅ｗで粘着面側に折り曲げる非接着面側部材としての折り曲げガイド片６０が、開閉カバー５の天板部５ａ裏面に設けられている。ここで、当該折り曲げガイド片６０は折り曲げローラー３２の端面外周縁よりも更に折り返し機構２０側を指向して径方向外方に延びており、その延出端部には略９０度に折り曲げられた粘着テープ２ａの側縁２ａＳの非粘着面に当接して、当該側縁２ａＳの折り曲げ角度略１２０度に、つまり粘着面側で略６０度の鋭角に狭めるように案内するガイド突起６２が三角形状に突出形成されて設けられている。
【００３３】
折り返し手段としての折り返し機構部２０は、図２、図３および図４（ａ）に示すように、折り曲げられた粘着テープ２ａ側縁２ａＳ部分の非粘着面側に押圧接触して、当該側縁２ａＳを略１８０度まで折り返すためのガイド部を有した折り返しガイド片でなる。本実施形態にあっては、この折り返しガイド片は、前記粘着テープ２ａの側縁２ａＳの折り曲げ角度を略１３５度まで（粘着面同士の角度で略４５度の鋭角）案内して狭める第１のガイド部としての傾斜ブロック２１と、この傾斜ブロック２１に隣接配置されて上記折り曲げ角度を略１８０度まで案内して折り返す、第２のガイド部としての切欠ブロック２２とから構成されており、両ブロック２１，２２は粘着テープ２ａ下方の接着面側に配置されて、テープホルダ１１とカッター刃８との略中央に位置して固定カバー４に取り付けられている。
【００３４】
即ち、傾斜ブロック２１は、テープ挿通室１５における粘着テープ２ａの粘着面２ａＡに対して鋭角となる傾斜角α（≒４５度）を有する傾斜面２１ａを備えており、その一辺に設けられた取り付け部２１ｂにおいて固定カバー４に固定されている。
【００３５】
また、切欠ブロック２２は、粘着テープ２ａの厚み寸法より僅かに大きく形成されたスリツト状の挿出口２３ａと、この挿出口２３ａより大きく形成された挿入口２３ｂとを有するくさび形の切欠部２３を有している。この切欠ブロック２２は切欠部２３の図３中上方に位置する天板ブロック２２ａと図３中下方に位置するベースブロック２２ｂとに分割されており、天板ブロック２２ａは開閉カバー５に固定され、ベースブロック２２ｂは傾斜ブロック２１と一体に固定カバー４に固定されている。
【００３６】
貼り合わせ手段４０は、側縁２ａＳが折り返された粘着テープ２ａの対向する粘着面同士を重合させて貼り合わせるものであって、当該側縁２ａＳが折り返された粘着テープ２ａの接着面側と非接着面側とに配設される少なくとも一対の押圧部材からなり、図２、図３および図４（ｃ）に示すように、折り返し機構部２０とカッター支持部６との間に設けられている。本第１実施形態では、当該押圧部材は一対のガイドローラー４１，４２で構成されており、この一対のガイドローラー４１，４２は側縁２ａＳが折り返された該粘着テープ２ａにその両面から押圧接触する。
【００３７】
そして、これらのガイドローラー４１，４２のうち、粘着テープ２ａの非接着面２ａＢ側に位置するガイドローラー４１は開閉カバー５に回転自在に軸支されて取り付けられており、粘着テープ２ａの粘着面２ａＡ側に位置するガイドローラー４２は固定カバー４に回転自在に軸支されて取り付けられている。また、これらのガイドローラー４１，４２は、ガイドローラー４１が、切欠ブロック２２の挿出口２３ａとガイドローラー４２とを結ぶ線に対してその外周面の下端部が下方にオフセットされた状態となって配置されることにより、これらのガイドローラー４１，４２に粘着テープ２ａが掛け回されて、その送り方向が変えられて両ガイドローラー４１，４２に粘着テープ２ａが押圧接触するようになっている。また、ガイドローラー４２の外周面４２ａには多数の溝部が形成されており、粘着面２ａＡとの接触面積を減少させて粘着テープ２ａが接着してしまうことを防止し得るようになっている。
【００３８】
テープカッター１の開閉部材としての開閉カバー５は、テープ挿通室１５に挿通される粘着テープ２ａに対して、当該開閉カバー５に取り付けられた非接着面側部材を押圧接触させる閉位置と押圧接触させない開位置とに切り替えて両位置間を移動して開閉可能に設けられるとともに、開位置では非接着面側部材を接着面側部材から離間させて該粘着テープ２ａの挿通路を全長に亘って開放するようになっている。また、開閉カバー５は、粘着テープ２ａの挿通方向に対して側方に回動して開閉移動されるようになっている。
【００３９】
即ち、本実施形態では、図５に示すように、開閉カバー５は下端部がベース部３にヒンジ部５ｂを介して回動自在に取り付けられており、当該開閉カバー５を側方に開くことによって、この開閉カバー５に支持された天板ブロック２２ａ，位置決めローラー３１，折り曲げガイド片６０およびガイドローラー４１等の非接着面側部材が、折り曲げローラー３２，傾斜ブロック２１，ベースブロック２２ｂ，およびガイドローラー４２等の接着面側部材に対して回動して離れるようになっている。つまり、開閉カバー５を開くことにより、天板ブロック２２ａ，位置決めローラー３１，折り曲げガイド片６０およびガイドローラー４１は粘着テープ２ａから離れて、当該粘着テープ２ａの挿通路が全長に亘って開放されるようになっている。
【００４０】
したがって、テープホルダ１１に装着される粘着テープ巻付体２を交換する際などには、この開閉カバー５を開くことにより、天板ブロック２２ａ，位置決めローラー３１，折り曲げガイド片６０およびガイドローラー４１等の非接着面側部材と折り曲げローラー３２，傾斜ブロック２１，ベースブロック２２ｂ，およびガイドローラー４２等の接着面側部材との間隔が広くなる。そして、テープホルダ１１に粘着テープ巻付体２を装着した後に、粘着テープ２ａをその端部がカッター刃８に位置するまで引き出し、この引き出した粘着テープ２ａを折り曲げローラー３２，傾斜ブロック２１，べースブロック２２ｂ，およびガイドローラー４２の上方に位置させて挿通し、爾後、開閉カバー５を閉じることにより、粘着テープ巻付体２の交換と粘着テープ２ａの重合部形成手段１６へのセットが完了することになる。なお、開閉カバー５は、その内側面に固定された金属プレート部１７ａがベース部３に設けられたマグネットユニット１７と接して磁気吸引されることにより、閉じた状態が保持されるようになっている。
【００４１】
このように、重合部形成手段１６を構成する部材のうち、粘着テープ２ａの非接着面２ａＢ側に位置する天板ブロック２２ａ、位置決めローラー３１、折り曲げガイド片６０およびガイドローラー４１を開閉カバー５に装着して、開閉カバー５を開くことにより、これらの部材が、重合部形成手段１６を構成する部材のうち粘着テープ２ａの粘着面２ａＡ側に位置する折り曲げローラー３２、傾斜ブロック２１、ベースブロック２２ｂ、およびガイドローラー４２から離れるようにしたので、粘着テープ２ａの重合部形成手段１６へのセット作業を容易にすることができる。
【００４２】
なお、本実施形態においては、開閉カバー５はベース部３に設けられたヒンジ部５ｂを軸として開閉するようになっているが、これに限らず、図６（ａ）に示すように、図中右側に位置する固定カバー４側にヒンジ部５ｂを設け、そのヒンジ部５ｂの位置を図５に示す場合よりも図中上方に位置させることにより天板ブロック２２ａ、位置決めローラー３１、折り曲げガイド片６０およびガイドローラー４１等の回動半径を小さく設定するようにしたり、図６（ｂ）に示すように、開閉カバー５が図中上方向にスライドして、天板ブロック２２ａ、位置決めローラー３１、およびガイドローラー４１等が粘着テープ２ａの非接着面２ａＢに対して垂直方向に離れるように開くなど、粘着テープ２ａの非接着面２ａＢ側に位置する部材が開閉カバー５とともに、粘着テープ２ａの粘着面２ａＡ側に位置する部材から離れる方向に移動すればいずれの開閉方法であっても良い。
【００４３】
また、このテープカッター１には、開閉カバー５の開度を図示する全開位置より小さい中間位置で保持する図示しない中間開度設定部材が設けられている。そして、開閉カバー５が中間位置に保持された場合には、天板ブロック２２ａ、位置決めローラ３１、及びガイドローラ４１と、折り曲げローラー３２、傾斜ブロック２１、ベースブロック２２ｂ、及びガイドローラ４２との間隔は、開閉カバー５の全閉状態における間隔よりも僅かに開いた状態となり、粘着テープ２ａが重合部形成手段１６に完全にはセットされない状態、つまりこの重合部形成手段１６が本来の機能を果たさない状態となる。
【００４４】
次にこのテープカッター１における粘着テープ２ａの切り取りについて説明する。
まず、粘着テープ巻付体２をテープホルダー１１に装着した状態にしてテープ収容部７に収容する。そして、開閉カバー５を開き、粘着テープ巻付体２から引き出した粘着テープ２ａを重合部形成手段１６にセットしてその先端部がカッター刃８に位置するようにして開閉カバー５を閉じる。
そして、この状態から粘着テープ２ａの先端部を指先で摘んで粘着テープ巻付体２から粘着テープ２ａを引き出す。
【００４５】
このとき、図４（ａ）に示すように、傾斜ブロック２１の傾斜面２１ａには粘着テープ２ａの一方の側端つまり側部における非接着面２ａＢが接するようになっており、粘着テープ２ａの一方の側端は粘着面２ａＡを内側として鋭角に折り曲げられることになる。
【００４６】
また、切欠ブロック２２においては、粘着テープ２ａは、傾斜ブロック２１により折り曲げられた状態で挿入口２３ｂから挿入され、切欠部２３内で徐々にその折り曲げ度合いを増し、粘着テープ２ａの厚み寸法より僅かに大きく形成されている挿出口２３ａにおいて対向する粘着面２ａＡ同士がほぼ平行となるまで折り曲げられる。つまり、挿出口２３ａから挿出された粘着テープ２ａの一方の側端には粘着面２ａＡを内側とした重合部５０が連続的に形成されることになる。
【００４７】
折り返し機構部２０により形成される重合部５０の寸法は、折り曲げローラー３２により所定の寸法に規制されるようになっている。すなわち、図４（ｂ）に示すように、折り曲げローラー３２はその端部３２ａが粘着テープ２ａの粘着面２ａＡ上に位置するようになっているため、重合部５０はこの端部３２ａを越えて折り曲がることが規制されてその寸法が一定に保たれるようになっている。
【００４８】
また、この折り曲げローラー３２により規制される重合部５０の寸法は、粘着テープ２ａと折り曲げローラー３２との幅方向の位置関係により変化することになる。そのため、このテープカッター１では、折り曲げローラー３２に粘着テープ２ａを案内する位置決めローラー３１により、粘着テープ２ａの幅方向の位置を規制させるようにしている。つまり、位置決めローラー３１のフランジ３１ｂと接する粘着テープ２ａの側端は、重合部５０が形成される際に生じる張力によりその重合部５０側に向かって、つまり図４（ｂ）中右上方に向かって移動しようとするが、粘着テープ２ａの側端はこの位置決めローラー３１のフランジ３１ｂに接触することにより移動が制限されているため、粘着テープ２ａの幅方向の位置は常に一定に保たれることになる。
【００４９】
折り返し機構部２０により重合部５０が形成された粘着テープ２ａは、図４（ｃ）に示すように、ガイドローラー４１，４２によりその送り方向を変えられるようになっている。このとき、粘着テープ２ａが送りガイドローラー４１，４２に与える張力により、粘着テープ２ａの重合部５０の対向する粘着面２ａＡ同士が互いに押し付けられて、図７（ａ）に示すように、粘着面２ａＡの一方の側端つまり側部に側縁２ａＳが折り返されて重合された非接着部分５１が形成されることになる。
【００５０】
このような一連の工程は、粘着テープ巻付体２から順次粘着テープ２ａを引き出すことにより連続的に行われることになる。そして、所望の長さの粘着テープ２ａが引き出されたら、この粘着テープ２ａをカッター刃８に向けて押し付けることにより粘着テープ２ａが切り取られることになる。
【００５１】
このように、このテープカッター１を用いることにより、粘着テープ２ａの粘着面２ａＡの一方の側端に非接着部分５１を形成することができるので、容易に剥がすことができる粘着テープ２ａを切り取ることができる。つまり、図７（ｂ）に示すように、たとえばこの粘着テープ２ａを箱５２の蓋５３ａ、５３ｂの封緘のために貼り付けた際には、その一方の側端が浮いた状態となるため、この部分を手に持って容易に引き剥がすことができる。
【００５２】
しかし、非接着部分５１が形成された粘着テープ２ａでは、非接着面２ａＢ側からでは作業者は粘着面２ａＡの幅方向の中央部を認識できないため、粘着面２ａＡの範囲を確かめながら貼り付け作業を行わなければならないなど、この粘着テープ２ａを適当な位置に貼り付けることが困難な場合がある。そのため、このテープカッター１に装着される粘着テープ巻付体２の粘着テープ２ａの非接着面２ａＢには、非接着部分５１と並ぶ粘着面２ａＡの幅方向の略中央部の位置を示す目印としての一点鎖線５４が印刷されている。つまり、粘着剤が塗布されていない非接着面側に、その長手方向に沿ってその側縁２ａＳから所定幅内側に該粘着テープ２ａの側縁２ａＳ折り曲げ後の接着幅に関する情報指示手段が印されている
したがって、この粘着テープ２ａを蓋５３ａ、５３ｂの封絨のために貼り付ける際には、一点鎖線５４を蓋５３ａ、５３ｂの境界部５３ｃに合わせることにより粘着面２ａＡの略中央部を蓋５３ａ、５３ｂの境界部５３ｃと一致させることができ、その貼り付け作業を容易にすることができる。また、粘着テープ２ａの非接着面２ａＢに、図７（ｂ）に示すような非接着部分５１の存在を示す文字５５、もしくは図７（ｃ）に示すような絵柄５６を印刷するようにしてもよい。なお、本実施の形態においては、粘着面２ａＡの幅方向の略中央部の位置を示す目印として一点鎖線５４が用いられているが、これに限らず、通常の直線や点線もしくは粘着面２ａＡの幅方向の略中央部を境界とした両側における非接着面２ａＢを色分けするなど、非接着面２ａＢ側から粘着面２ａＡの幅方向の略中央部を認識することができる目印であれば、いずれの目印としてもよい。また、非接着部分５１の存在を示すものとして非接着面２ａＢに文字５５，絵柄５６を印刷するようにしているが、これに限らず、非接着部分５１の存在を示すものであれば他の絵柄や記号等などとしてもよい。
【００５３】
また、このテープカッター１は、開閉カバー５を中間位置で保持することにより、粘着テープ２ａに非接着部分５１が形成されない通常の粘着テープを切り取ることができる。つまり、開閉カバー５を中間位置に保持した場合には、天板ブロック２２ａ、位置決めローラー３１、およびガイドローラー４１と、折り曲げローラー３２、傾斜ブロック２１、ベースブロック２２ｂ、およびガイドローラー４２との問隔は、開閉カバー５の全閉状態における間隔よりも僅かに開いた状態となるため、粘着テープ２ａが重合部形成手段１６に完全にはセットされず、粘着テープ２ａには非接着部分５１が形成されないのである。
【００５４】
このように、開閉カバー５を中間位置に保持することができるようにして、開閉カバー５を全閉位置と中間位置とに切り替えることにより、通常のつまり非接着部分５１が形成されない粘着テープと、非接着部分５１が形成された粘着テープとを切り取ることができるようにしたので、このテープカッター１の汎用性を高めることができる。
【００５５】
＝＝＝第２実施形態＝＝＝
図８〜図１１は本発明の第２実施形態を示すものであり、図８はその平面図、図９は図８中のＡ−Ａ線矢視の側断面図、図１０は図９中のＢ−Ｂ線矢視の平面図、図１１は開閉カバーを開いた状態の全体斜視図をそれぞれ示すものである。また、図１２は、折り曲げ機構３０と折り返し機構２０、並びに貼り合わせ手段４０の各部材の相互の位置関係を示す詳細断面図である。
【００５６】
この第２実施形態にあっても、その主たる構成は前述の第１実施形態と同様であり、同一部材には同一の符号を付して詳しい説明は省略する。このテープカッター１０１は、略直方体状に形成された樹脂製の本体１０２を有し、この本体１０２にはこれに一体形成されて、長手方向の一方側にカッター支持部６が設けられ、また、他方側にはテープ収容部７が設けられている。
【００５７】
図８〜図１２に示すように、カッター支持部６には上方に開口する溝部６ａが形成されており、この溝部６ａにはカット部としてのカッター刃８が装着されている。カッター刃８はカッター支持部６にその刃先が上方を向くように固定されている。
【００５８】
テープ収容部７は本体１０２の長手方向両側部に一体的に立設された側壁部１０３によって形成され、このテープ収容部７には、テープ支持部としてのテープホルダ１１に装着される粘着テープ巻付体２が収容されるようになっている。テープホルダ１１は樹脂製の回転ホイールでなり、その回転中心にはホルダ軸１２が一体形成されていて、このホルダ軸１２が側壁部１０３に設けられた装着溝１０３ａに遊嵌し回転自在に保持されている。
【００５９】
カッター支持部６とテープ収容部７との間には、引き出される粘着テープ２ａの長手方向の一側部の側縁２ａＳを粘着面側の下方に略９０度まで折り曲げる折り曲げ機構部３０、その折り曲げられた側縁２ａＳを更に略１８０度まで折り返して粘着面同士を対面させる折り返し機構部２０、およびその対面した粘着面同士を重合させて貼り合わせる貼り合わせ手段４０とからなる重合部形成手段１６が配置されている。
【００６０】
ここで、この重合部形成手段１６は本体１０２に対して着脱自在に設けられたカセット式ホルダー１０４に設けられている。このカセット式ホルダー１０４は直方体状をなし、ベース部１０５とこのベース部１０５の上部に長手方向両側に沿って対向して立設形成された側壁１０６、および両側壁の上端部間に設けられた開閉カバー５とからなり、両側壁１０６と開閉カバー５とによって囲まれてテープ挿通室１５が形成されている。開閉カバー５は図１１に示す如くヒンジ５ｂまたは丁番等の回転固定具によって、一方の側壁の上部に回動自在に取り付けられており、粘着テープ２ａの挿通方向の側方に向けて１８０度回動して開閉移動するようになっている。なお、この開閉カバーはスライド機構（図示せず）等によりスライド移動するように取付けても良い。
【００６１】
このカセット式ホルダー１０４のベース部１０５下部には、カセット取付ロッド１０４ａが設けられていて、当該カセット取付ロッド１０４ａが本体側壁部１０３にＬ字状に屈曲形成されて設けられた装着溝１０３ｂの縦溝部分に上方から挿入されて、当該縦溝の下端で粘着テープ巻付体２側に向けて延びる横溝部分にスライドさせて装着するようになっている。
【００６２】
また、開閉カバー５の開閉揺動端の先端には側方に突出するストッパー５ｃが設けられており、開閉カバー５を閉じた状態でカセット式ホルダー１０４を本体１０２に装着すると当該ストッパー５ｃが本体１０２の側壁部１０３上端面に設けられたストッパー溝１０３ｃに嵌合して、このカセット式ホルダー１０４が本体１０２に固定されるようになっている。
【００６３】
このカセット式ホルダー１０４に設けられる重合部形成手段１６は前述した第１実施形態と基本的に同一構成でなる。即ち、折り曲げ機構３０は折り曲げローラ３２の他に折り曲げガイド片６０を有する。この折り曲げガイド片６０は前記開閉カバー５に取り付けられて、その閉位置で折り曲げローラー３２の端面に対向し、当該折り曲げローラ３２に接触していない粘着テープ２ａの側縁２ａＳ部分の非粘着面側に押圧接触して、当該側縁２ａＳを折り曲げローラ３２の端面との間に挟んで所定幅で粘着面側に略９０度まで折り曲げるようになっおり、非接着面側部材とされている。ここで、当該折り曲げガイド片６０は折り曲げローラー３２の端面外周縁よりも更に折り返し機構２０側を指向して径方向外方に延びており、その延出端部には略９０度に折り曲げられた粘着テープ２ａの側縁２ａＳの非粘着面に当接して、当該側縁２ａＳの折り曲げ角度略１２０度に、つまり粘着面側で略６０度の鋭角に狭めるように案内するガイド突起６２が三角形状に突出形成されて設けられている。
【００６４】
折り返し機構部２０は粘着テープ２ａの側縁２ａＳの折り曲げ角度を略１３５略４５度、つまり粘着面側で略４５度の鋭角まで狭めて案内する第１のガイド部としての傾斜ブロック２１と、この傾斜ブロック２１に隣接配置されて上記折れ曲がり角度を略１８０度まで進めて折り返す、第２のガイド部としての切欠ブロック２２とからなり、その構成は前述の第１実施形態と同様であり、これらの傾斜ブロック２１と切欠ブロック２２とはカセット式ホルダー１０４の側壁１０６に取り付けられている。
【００６５】
貼り合わせ手段４０も前述の第１実施形態と同様に、一対のガイドローラー４１，４２で構成されており、この一対のガイドローラー４１，４２は側縁２ａＳが折り返された粘着テープ２ａにその両面から押圧接触して対向する粘着面同士を貼り合わせて重合させる。
【００６６】
そして、これらのガイドローラー４１，４２のうち、粘着テープ２ａの非接着面２ａＢ側に位置するガイドローラー４１は開閉カバー５に回転自在に軸支されて取り付けられており、粘着テープ２ａの粘着面２ａＡ側に位置するガイドローラー４２はカセット式ホルダー１０４の側壁１０６に回転自在に軸支されて取り付けられている。また、これらのガイドローラー４１，４２は、非接着面側のガイドローラー４１が、切欠ブロック２２の挿出口２３ａとガイドローラー４２とを結ぶ線に対して外周面の下端部が下方にオフセットされた状態となって配置されることにより、これらのガイドローラー４１，４２に粘着テープ２ａが掛け回されて、その送り方向が変えられて両ガイドローラー４１，４２に粘着テープ２ａが押圧接触するようになっている。また、ガイドローラー４２の外周面４２ａには多数の溝部が形成されており、粘着面２ａＡとの接触面積を減少させて粘着テープ２ａが接着してしまうことを防止し得るようになっている。ここで、非接着面側のガイドローラー４１は接着面側のガイドローラー４２よりも粘着テープ２ａ引き出し方向の下流側に配置されており、この前後の位置関係が前述の第１実施形態と逆になっている。
【００６７】
このような配置構成とすることにより、粘着テープ２ａに作用する張力によって粘着テープの側縁２ａＳの折り曲げから折り返しまでを安定して行うことが可能となり、粘着テープ２ａの側端２ｃは当該粘着テープにかかった張力によりほぼ直線Ａに沿って癖付けして折り返すことが出来る。
【００６８】
図１３は位置決めローラー３１を示す断面図である。本第２実施形態では、この位置決めローラー３１にはテーパローラー３１’が用いられており、当該テーパローラー３１’は中心部に設けた支持軸３４により回転自在に軸支され、この支持軸３４は開閉カバー５に固定されている。テーパーローラー３１’は先端部に設けられたフランジ３１ｂに向かって縮径形成されており、粘着テープ２ａは引き出し時にこれに作用する張力の作用により、テーパーローラー３１’の小径側に滑って移動し、フランジ３１ｂに一側縁２ａＳが接触することで幅方向への移動が規制されて止まり、これにより幅方向の位置決めがなされる。この位置決めによりテープの折り返し幅が正確な寸法に安定的に保持されるようになる。
【００６９】
図１４は位置決めローラー３１の変形例を示すものであり、この変形例では傾斜ローラー３１”を用いている。この傾斜ローラー３１”は粘着テープ２ａの張力で傾斜するようにしたものであり、開閉カバー５に固定された支持軸３４に対して遊嵌されて設けられている。即ち、傾斜ローラー３１”は支持軸３４の基端部側に位置する端部には当該支持軸３４の軸径よりも少し大きな軸孔３１ｃが形成されて遊嵌され、他端側には大径の孔３１ｄが空けられていて有底筒体状をなしている。このため、軸孔３１ｃと支持軸３４との隙間分にだけ傾斜ローラー２３は傾斜可能となっており、粘着テープ２ａはこれに作用する引き出し時の張力の作用により、先端の小径側に滑って側縁２ａＳが位置決めフランジ３１ｂに接触し、そこで幅方向の位置決めがなされるのである。
【００７０】
図１５は折り曲げローラー３２を示す断面図である。この図示例では、折り曲げローラー３２は単純な円筒形に形成されているが粘着テープ２ａの粘着面が付着するのを防止するために，その表面に例えばテフロン樹脂等の難粘着性の材質を使用している。そして前述したと同様に折り曲げローラー３２の中心部に設けた支持軸３６により回転自在に軸支され支持軸３６はカセット式ホルダ１０４の側壁１０６に固定されている。
【００７１】
図１６は折り曲げローラー３２の変形例の断面図である。この変形例では、折り曲げローラーには溝付ローラー３２’を使用している。この溝付ローラー３２’はその外周面に複数列の環状のＶ形溝３３ａが設けられており、その山部３３ｂだけで粘着テープ２ａが接触するため粘着面積が少なく、もって接着し難くなっている。
【００７２】
以下、溝付ローラー３２’での実施の形態例により当該第２実施形態に係る粘着テープカッター１０１の機能及び作用について説明する。
図１７は図１２中におけるＣ−Ｃ線矢視断面図である。図示するように、粘着テープ２ａの側縁２ａＳの折り曲げ幅Ｗ２は、前記位置決めローラー３１の先端の端面３２ａの位置と、位置決めローラー３１の先端のフランジ３１ｂの位置関係、つまりフランジ３１ｂから端面３２ａまでのテープ幅方向の距離によって決定される。そこで、当該距離Ｗ２は所望する所定幅に一致させて配置している。
【００７３】
ここで、この折込幅Ｗ２が小さすぎると前述した粘着テープのスプリングバック作用により、粘着テープ２ａの安定した折込（折り曲げ）が困難になり、また張力に関しても、これを掛けすぎた場合には、粘着テープが切断されてしまう一方、張力が弱すぎる場合には、粘着テープが弛んで絡みが発生してしまうことを発明者等は実験により確認した。即ち、折込幅Ｗ２には実際上の最小限界があるだけでなく、張力にも適切な範囲がある。
【００７４】
つまり、折り曲げローラー３２に押圧接触しない粘着テープの側縁２ａＳ部分は、図１２に示す如くテープ接点３１ｓよりテープ接点３２ｓを経由してテープ接点４１ｓに至って当該折り曲げローラー３２に押圧接触しているテープ部分と比較して、その経路長は短くなり、その経路長の差分だけ弛みが生じることになる。なお、この弛みは折り曲げローラーの巻き付け角度とその外径寸法及び張力の影響も受けることになるが、通常は粘着テープ２ａの伸びにより吸収される。ここで、その折り返し幅Ｗ２を大きくし過ぎると、その弛みを吸収することが出来ず、粘着テープ２ａの絡みが発生するためＷ２が大きすぎることにも限界のあることを確認した。
【００７５】
また、折り返した重合部５０は人が爪や指先を使って粘着テープを剥がす目的で形成されるが、人の子供から大人までの指先寸法は医学統計上から人差指は幅８ｍｍから１８ｍｍ、厚さは先端の爪中間部分で７ｍｍから１４ｍｍといわれており、人間工学上の見地からするとその剥がしやすい重合部５０の折り返し幅Ｗ２は最小１．５ｍｍ以上が必要で、これを超えると剥がし易さが急激に向上することが分かった。また、折り返し幅Ｗ２を２５ｍｍ以上にすると剥がし易さの向上効果はなくなり、経済的ではなくなる。したがって、求める機能を充分に発揮させるためには、テープ幅と距離Ｌ及び距離Ｍとの割合の関係を十分に把握しておくことが必要であり、Ｗ２の最小幅は１．５ｍｍ以上とし、最大幅は前述した弛みの発生と経済的効果とにより２５ｍｍ以下とすることが望ましいことが実験によって知得できたのである。
【００７６】
表１はその剥脱実験結果を示すもので、３５人の成人のパネラーによりセロハン製テープを用いて剥脱実験を行い剥し易さの度合ごとのパネラーの回答数の統計を求めたものである。この実験により折返し幅Ｗ２ごとの剥がし易さの度合は次表に示す如くである。
【００７７】
【表１】
2004315203.tif 000003
【００７８】
表１に示すように、折返し幅Ｗ２が１．０ｍｍ、ｌ．２ｍｍの場合は剥がせないと答えたパネラーが３４人、３１人と大半であったが、１．５ｍｍでは剥がせると回答したものが１５人、剥がし難いと回答したものを加えると２７人となり剥がしやすさが逆転している。
それ以上では折り返し幅Ｗ２が３ｍｍになると２０人が容易に剥がせると回答し、５ミリ以上ではほとんど変化していない。
このことより剥がしやすくなる臨界寸法は折返し幅Ｗ２が１．５ｍｍ以上でありベストモードが３ミリ以上と言うことが出来る。
それ以上が剥がし易いことは当然であるが、最大寸法では２５ミリくらいあれば十分で、それ以上ではいたずらに幅広となり機能上から必要がなく、逆にコストが高くなり経済性から見て好ましくないのである。
【００７９】
次に、粘着テープの折り曲げ機構３０について述べると、図１７〜図２２に示す如く粘着テープ２ａは折り曲げローラー３２の端面３２ａに押圧接触すると、当該折り曲げローラ３２に接触していない粘着テープ側縁２ａＳ部分が張力の作用により、その最初の接触位置で粘着面側に折り曲げられ、その折れ曲がり角度θが約１３５度±３０度に形成される。
【００８０】
そして、この折り曲げられた側縁２ａＳは折り曲げローラー３２の支持軸３６よりも下流側に位置して、その端面３２ａに対向して配設された折り曲げガイド片６０との間に入り込んでいき、当該折り曲げガイド片６０に側縁２ａＳの非粘着面側が押圧接触して案内されつつ、その折れ曲がり角度が更に略９０度まで進められて狭められる。
【００８１】
このガイド片６０における折り曲げローラー３２の端面外周縁よりも径方向の外側に延びた下流側端には、更にその略９０度に折り曲げられた粘着テープ２ａの側縁２ａＳの非粘着面に当接して、当該側縁２ａＳの粘着面側の折れ曲がり角度を略６０度の鋭角にまで狭めるように案内する三角形状のガイド突起６２があり、粘着テープ側縁２ａＳは当該ガイド突起６２に押圧接触しつつ案内されてその折れ曲がり角度が略６０度の鋭角に狭められる。ここで、折り曲げガイド片６０の厚さは、５〜２０ミリ程度に構成されており、その入り側のコーナー６０ａには導入をスムースにするための面取りまたはＲ部が形成されている。
【００８２】
次に、この略６０度に狭められた粘着テープ２ａの側縁２ａＳは、折り返しガイド片の第１のガイド部たる傾斜ブロック２１にその非粘着面側が押圧接触して粘着面側が略４５度の鋭角にまで折り曲げられた後、更に第２ガイド部たる切欠ブロック２２に押圧接触して略１８０度に折り返される。
【００８３】
即ち、折り曲げガイド片６０とガイド突起６２、並びに傾斜ブロック２１と切り欠きブロック２２とによって、粘着テープ２ａの側縁２ａＳの折れ曲がり角度θを多段階に狭めて折り返していくことにより、スムースな折り返しが出来るよう構成されている。
【００８４】
ここで、切り欠きブロック２２における開閉カバー５に取り付けられた天板ブロック２２ａは、その粘着テープとの接触部の形状は、Ｒ状または平面の滑り面を持つガイド片、またはローラーのいずれかでも良い。特にローラーとした場合は、摩擦抵抗が減るため粘着テープの滑りがスムースとなる。
【００８５】
図２３は貼り合わせ手段４０における非接着面側のガイドローラー４１の断面図を示している。貼り合わせ手段４０は接着面側のガイドローラー４２と非接着面側のガイドローラー４１とから構成されており、図１２に示す如く非接着面側のガイドローラー４１の最下点の位置が接着面側のガイドローラー４２の頂点より低いことにより押付効果を与え、側縁２ａＳが折り返された粘着テープ２ａの粘着面同士を粘着剤により完全に粘着するように押し付けて、貼り合わせ重合させる。
【００８６】
そして、上述のように引き出されて側部に非接着部として側縁２ａＳの重合部５０が形成された粘着テープ２ａはカット部６に架張されて適宜所望の長さにカットされるのである。
【００８７】
また、図２４は位置決め手段として上述の位置決めローラーの代わりに、テープホルダ１１に位置決め機構を組み込んだ実施例を示すものである。即ち、回転ホイール１１０には、その外輪１１２の幅方向一側側にリング鍔部１１２ａが設けられ、粘着テープ巻付体２の側面の一方はこのリング鍔部１１２ａに当接されるようになっている。また、回転支持軸１２にも鍔部１２ａが設けられ、回転ホイール１１０の一方の側面は鍔部１２ａに接触することにより、粘着テープ巻付体２の側面は押え板１１４を介して、アジャスター１２ｂにより回転支持軸１２に対し幅方向に位置決めされて固定される。アジャスター１２ｂはネジあるいは摩擦嵌合止め等の方法で回転支持軸１２に固定されている。従って、粘着テープ２ａ側端の幅方向の位置は折り曲げローラー３２に対して常に一定となるよう構成されている。
【００８８】
以上のようにしてなる粘着テープカッターへの粘着テープの装着は、基本的に前述した第１実施形態と同様である。即ち、先ず回転ホイール１１０の外輪１１２に粘着テープ巻付体２を嵌め込んで、当該回転ホイール１１０をテープ収容部７に回転自在に支持させ、次にカセット式ホルダー１０４の開閉カバー５を開放して、粘着テープ巻付体２から粘着テープ２ａの一端部を引き出してカセット式ホルダ１０４内を挿通してカット部６に止着し、爾後カセット式ホルダー１０４の開閉カバー５を閉じるだけの簡単な作業で、その装着が完了する。ここで、この第２実施形態では第１実施形態では備えられていなかった折り曲げガイド片６０を有するが、この折り曲げガイド片６０は開閉カバー５側に取り付けられているので、開閉カバー５の閉塞時には当該折り曲げガイド片６０の下端部が折り曲げローラ３２に接触していない粘着テープの側縁２ａＳ部分に上方から押圧当接して、これを折り曲げつつ折り曲げローラー３２の端面３２ａとの間に挟み込むことになる。よって粘着テープ２ａの側縁２ａＳは開閉カバー５を閉じるだけで当該折り曲げローラー３２の端面３２ａと折り曲げガイド片６０との間の隙間に自動的に挿通されることになる。
【００８９】
また、この折り曲げガイド片６０とガイド突起６２とを設けることによって、粘着テープ２ａに作用させる張力を低減しても、粘着テープ側縁２ａＳの折り返しをスムースにかつ確実に行えるようになり、引き出し時の操作力を軽減してその操作性の可及的な向上が図れるようになる。
【００９０】
また、この第２実施形態では重合部形成手段１６をカセット式ホルダー１０４に取り付けてテープカッター本体１０２に対して着脱自在な構成としているので、当該重合部形成手段１６を備えてない従来からある極一般的なテープカッターと本体を共通化させることが出来、もって製造コストの可及的な低減化が図れるようになる。
【００９１】
なお、詳しい説明と図示は省略するが、粘着テープの両側に非接着部としての重合部を形成すべく、前記重合部形成手段を一対で設けて粘着テープの両側を折り返して重合させるようにすることもできる。このように、粘着テープの両側に重合部を形成するようにすれば、粘着テープの剥し易さは更に向上し、特に広幅の粘着テープ用のテープカッターに採用して好適なものとなる。
【００９２】
＝＝＝第３実施形態＝＝＝
図２５〜図２７は本発明の第３実施形態を示し、図２５は平面図、図２６は図２５中のＡ−Ａ線矢視断面図、図２７は開閉カバーを開いた状態の全体斜視図をそれぞれ示すものである。
【００９３】
この第３実施形態もその重合部形成手段１６等の要部の主たる構成は基本的に前述の第１，第２実施形態と全く同様であり、相違する点はテープ支持手段のテープホルダーの構造にある。よって以下には、その相違するテープホルダの構造について詳述し、重合部形成手段１６に付いては第１，第２実施形態と同一の符合を付して詳しい説明は省略する。
【００９４】
図２５〜図２７に示すように、この第３実施形態では、テープ支持部をなすテープホルダ１１は少なくとも２個の支持ローラー１１６ａ，１１６ｂと、引き出し用ガイドローラー１１８とから構成されており、これら支持ローラー１１６ａ，１１６ｂ及び引き出し用ガイドローラー１１８は本体１０２の側壁部１０３に固定された支持軸１２０，１２０，１２０に回転自在に軸支されている。引き出し用ガイドローラー１１８は位置決めローラー３１と後方側の支持ローラー１１６ａとの間に、それら両ローラー１１８，１１６ａの軸芯を結ぶ線分よりも後方に配置されていて、引き出される粘着テープ２ａを反転させて導くとともに、両ローラー１１８，１１６ａに押圧接触させて巻回させるようになっている。
【００９５】
また、粘着テープ巻付体２の下部には粘着テープ巻付体２が飛び出さないように係止するための支持レバー１２２が設けられ、支持スブリング１２４のバネ力により常に粘着テープ２ａの引き出し側方向に付勢されていて、本体１０２からの飛び出しが防止しされている。
【００９６】
このように構成することで、従来から多用されているテープ収納部７の中央開口部に支持軸（図示せず）を設けることなく、粘着テープ巻付体２をテープの張力に抗して２個の支持ローラー１１６ａと１１６ｂとによってこれらに密着させて回転自在に保持することが出来、従来例のよう中央開口部の支持軸に通す必要がなく簡単に粘着テープ巻付体２の装着が出来るようになる。
【００９７】
また、引き出しガイドローラー４により粘着テープ２ａを反転させるため、粘着テープ巻付体２を本体１０２の下部の空間に収納配置でき、これにより本体の長さと高さを大幅に短縮してコンパクト化することができ、狭い置き台の上でも容易に設置可能となり、省スペース化を大幅に達成することができる。
【００９８】
また、当該第３実施形態では、カット部６には図２５〜図２７に示す如く指切防止手段１２６が設けられている。この指切防止手段１２６は、図示例にあっては粘着テープ２ａの両側に軸１２８を設け、この軸１２８に夫々風車状の羽根車１３０を回転自在に設けて構成している。つまり当該構成では、粘着テープ２ａは羽根車１３０間の中央を通して下方に押し下げれば羽根が回転して下方に送り込んで引き出せるが、指は左右の羽根車１３０，１３０の羽根間を通過できないようにしており、両羽根車１３０，１３０の先端間の隙間は例えば１〜５ミリに設定して、指が使用時に間を通過しないよう近接して配置しており、テープの切断時、指は羽根車１３０に邪魔されて、カッター刃８に接触することなく安全に粘着テープ２ａをカットできるのである。
【００９９】
図２８は粘着テープ巻付体２の支持部構造の変形実施例を示すものである。この変形実施形態では、前記の実施例とは反対に２つの支持ローラ１１６ａ，１１６ｂの上側に粘着テープ巻付体２ａを載置して支持するようになっている。この場合、テープカッターの本体１０２よりも上方に粘着テープ巻付体２が突出することになるので設置スペースを大きく必要とするが、粘着テープ巻付体２は上方より装着できるので粘着テープ巻付体２の交換が簡単である利点を有する。
【０１００】
＝＝＝第４実施形態＝＝＝
図２９〜図３３は本発明の第４実施形態を示し、図２９は全体斜視図、図３０は平面図、図３１は図３０中のＡ−Ａ線矢視断面図、図３２は折り返し機構部の拡大斜視図、図３３は開閉カバーを開いた状態の全体斜視図をそれぞれ示すものである。
【０１０１】
この第４実施形態の粘着テープカッターにあっても、その重合部形成手段１６等の要部構成は、前述した第１〜第３実施形態の場合と基本的に全く同様であるが、折り返し機構部２０の構造に若干の違いがある。よって以下には、当該折り返し機構部２０の構造について詳述し、その他の点に付いては第１〜第３実施形態と同一の符合を付して詳しい説明は省略する。
【０１０２】
即ち、この第４実施形態の粘着テープカッター３０１にあっても、粘着テープ巻付体２から引き出される粘着テープ２ａは、折り曲げ機構部３０のガイドラー３２とガイド片６０及びガイド突起６２とにより、粘着テープ２ａの側縁２ａＳ部分が粘着面側に折り曲げられて、その角度が略６０度の鋭角に狭められるとともに、当該側縁２ａＳは更にを通過して略１８０度に折り返されるようになっている。
【０１０３】
即ち、粘着テープ２ａの側縁２ａＳは、折り返し機構部２０の折り返しガイド片をなす傾斜ブロック２１（第１のガイド部）にその非粘着面側が押圧接触して粘着面側が略４５度の鋭角にまで折り曲げられた後、更にベースブロック２２ｂ（第２のガイド部）に押圧接触して略１８０度に折り返される。このベースブロック２２ｂは、上部にくさび形の切欠部２３を有し、この切欠部２３の直上には傾斜ブロック２１に近接されて押圧ローラ２２ｃが配設されている。この押圧ローラ２２ｃは前述の第１〜第３実施形態における天板ブロック２２ａに相当するもので、当該天板ブロック２２ａに置換されて開閉カバー５に固定されて設けられており、ベースブロック２２ｂは傾斜ブロック２１と一体に固定カバー４に固定されている。
【０１０４】
このように、天板ブロック２２ａに代えて押圧ローラ２２ｃを設けて、当該押圧ローラ２２ｃに粘着テープ２ａを押し付けることにより、粘着テープ２ａに作用させる張力を低減しつつ、粘着テープ側縁２ａＳの折り返しをスムースにかつ確実に行えるようになり、引き出し時の操作力を軽減してその操作性の可及的な向上が図れるようになる。ここで、粘着テープ２ａの押圧ローラ２２ｃへの巻回角度を若干大きめにして掛け回して、粘着テープ２ａの押圧力（押し付け力）が少し大きくなるように設定すれば、当該押圧ローラ２２ｃで粘着テープ２ａの対面した粘着面同士を重合させて貼り合わせることもでき、その下流側に設けてある３つのローラ４１，４２，４３からなる貼り合わせ手段４０を省略するように構成することも可能である。また、粘着テープ巻付体２の下部に設けられて、粘着テープ巻付体２が飛び出さないように係止する支持レバー１２２は、引っ張りコイルスプリング１２４ａのバネ力で常に粘着テープ２ａの引き出し側方向に付勢するようにしても良い。
【０１０５】
なお、本発明は前述した各実施の形態に限定されるものでなく、その要旨を逸脱しない範囲で種々の設計変更が可能であることはいうまでもない。
【０１０６】
【発明の効果】
以上に詳細に説明したように、本発明によれば、重合部形成手段の非接着面側部材を開閉自在な開閉部材にて支持し、該開閉部材は、挿通される該粘着テープに対して該非接着面側部材を押圧接触させる閉位置と押圧接触させない開位置との間を開閉移動可能に設けられるとともに、該開位置では該非接着面側部材を該接着面側部材から離間させて該粘着テープの挿通路を開放するようにしたので、粘着テープの剥離を容易にするための摘み部となる非接着部を、テープ側縁を折り返して重合させることで長手方向に沿って容易に形成できるばかりか、当該非接着部の形成機能のオン・オフを簡易に切り替えられ、しかも粘着テープの挿通装着を容易に行うことができる。
【０１０７】
また、開閉部材が開いているときには、粘着テープには非接着部分が形成されないので、非接着部分が形成された粘着テープもしくは非接着部分が形成されない粘着テープの両方の粘着テープを切り取ることができ、このテープカッターの汎用性を高めることができる。
【０１０８】
さらに、非接着部分と並ぶ粘着面の幅方向の略中央部を示す目印を非接着面に設たことにより、非接着部分が形成された粘着テープを適当な位置に貼り付ける作業を容易にすることができる。
【図面の簡単な説明】
【図１】本発明に係る粘着テープカッターの第１実施形態を示す斜視図である。
【図２】図１に示す粘着テープカッターの構造を示す一部切欠平面図である。
【図３】図２におけるＡ−Ａ線矢視断面図である。
【図４】（ａ）〜（ｃ）はそれぞれ図２に示す重合部形成手段の折り曲げ機構部、折り返し機構部、貼り合わせ機構部の詳細を示す斜視図である。
【図５】図１に示す開閉カバーを開いた状態を示す斜視図である。
【図６】（ａ）、（ｂ）はそれぞれ図５に示す開閉カバーの変形例を示す正面図である。
【図７】（ａ）は非接着部分が形成された粘着テープの詳細を示す斜視図であり、（ｂ）、（ｃ）は貼り付けられた状態の粘着テープを示す斜視図である。
【図８】本発明に係る第２実施形態の粘着テープカッターを示す平面図である。
【図９】図８中のＡ−Ａ線矢視の側断面である。
【図１０】図９中のＢ−Ｂ線矢視平面図である。
【図１１】開閉カバーを開いた状態の全体斜視図をそれぞれ示すものである。
【図１２】位置決めローラーと折り曲げローラー及び折り返し手段、並びに貼り合わせ手段の一対のガイドローラとの相互の位置関係を示す詳細断面図である。
【図１３】位置決めローラーを示す断面図である。
【図１４】位置決めローラーの変形例を示すものである。
【図１５】折り曲げローラーを示す断面図である。
【図１６】折り曲げローラーの変形例ので断面図である。
【図１７】図１２中におけるＣ−Ｃ線矢視断面図である。
【図１８】折り曲げローラと折り曲げガイド片とを示す正面図である。
【図１９】同上、折り曲げローラと折り曲げガイド片とを示す平面図である。
【図２０】同上、折り曲げローラと折り曲げガイド片のガイド突起とを示す正面図である。
【図２１】折り返し機構の第１ガイド部材たる傾斜ブロックを示す正面図である。
【図２２】折り返し機構の第２ガイド部材たる切り欠きブロックを示す正面図である。
【図２３】貼り合わせ手段の非接着面側ガイドローラーの断面図である。
【図２４】位置決め手段として上述の位置決めローラーの代わりに、テープホルダに位置決め機構を組み込んだ実施例を示す図である。
【図２５】本発明の第３実施形態の粘着テープカッターを示す平面図である。
【図２６】図２５中のＡ−Ａ線矢視断面図である。
【図２７】開閉カバーを開いた状態の全体斜視図である。
【図２８】第３実施形態のテープ支持部の変形例を示す概略側断面図である。
【図２９】本発明の第４実施形態の粘着テープカッターを示す全体斜視図である。
【図３０】図２９に示す粘着テープカッターの構造を示す一部切欠平面図である。
【図３１】図３０中のＡ−Ａ線矢視断面図
【図３２】折り返し機構部の拡大斜視図である。
【図３３】開閉カバーを開いた状態の全体斜視図である。
【符号の説明】
１，１０１，２０１  テープカッター
２  粘着テープ巻付体
２ａ  粘着テープ
２ａＳ  側縁          ２ａＡ  粘着面        ２ａＢ  非粘着面
３  ベース部（本体）
４  固定カバー（本体）  ４ａ  天板部
５  開閉カバー（本体）  ５ａ  天板部          ５ｂ  ヒンジ部
６  カッター支持部      ６ａ  溝部
７  テープ収容部        １１  テープホルダ
１５  テープ挿通室        １６  重合部形成手段
２０  折り返し機構部
２１  傾斜ブロック      ２１ａ  傾斜面        ２１ｂ  取り付け部
２２  切欠ブロック      ２２ａ  天板ブロック  ２２ｂ  ベースブロック
２３  切欠部            ３０  折り曲げ機構部
３１  位置決めローラー  ３１ａ  ローラー本体  ３１ｂ  フランジ
３２  折り曲げローラー  ３２ａ  端面          ３２ｂ  外周面
４０  貼り合わせ手段
４１，４２  ガイドローラー（押圧部材）
５０  重合部              ５１  非接着部分
５３ｃ  境界部            ５４  一点鎖線
５５  文宇                ５６  絵柄
６０  折り曲げガイド片    ６２  ガイド突起
１０４  カセット式ホルダ
【図１】
2004315203.tif 000004
【図２】
2004315203.tif 000005
【図３】
2004315203.tif 000006
【図４】
2004315203.tif 000007
【図５】
2004315203.tif 000008
【図６】
2004315203.tif 000009
【図７】
2004315203.tif 000010
【図８】
2004315203.tif 000011
【図９】
2004315203.tif 000012
【図１０】
2004315203.tif 000013
【図１１】
2004315203.tif 000014
【図１２】
2004315203.tif 000015
【図１３】
2004315203.tif 000016
【図１４】
2004315203.tif 000017
【図１５】
2004315203.tif 000018
【図１６】
2004315203.tif 000019
【図１７】
2004315203.tif 000020
【図１８】
2004315203.tif 000021
【図１９】
2004315203.tif 000022
【図２０】
2004315203.tif 000023
【図２１】
2004315203.tif 000024
【図２２】
2004315203.tif 000025
【図２３】
2004315203.tif 000026
【図２４】
2004315203.tif 000027
【図２５】
2004315203.tif 000028
【図２６】
2004315203.tif 000029
【図２７】
2004315203.tif 000030
【図２８】
2004315203.tif 000031
【図２９】
2004315203.tif 000032
【図３０】
2004315203.tif 000033
【図３１】
2004315203.tif 000034
【図３２】
2004315203.tif 000035
【図３３】
2004315203.tif 000036